【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
方法であって、
時分割複信（ＴＤＤ）ワイヤレス通信システムにおけるユーザ機器（ＵＥ）において、複数の無線フレームのためのセル特定ＴＤＤアップリンク（ＵＬ）／ダウンリンク（ＤＬ）構成を受け取ることと、
前記ＴＤＤワイヤレス通信システムにおける基地局に、前記ＵＥが適応的ＴＤＤ能力を有することを通知することと、
前記ユーザ機器において、ＴＤＤ  ＵＬ／ＤＬ構成のための動的再構成信号を検出することと、
前記ＵＥにおいて、ＴＤＤ  ＵＬ／ＤＬ構成のための動的再構成信号の検出に基づき、前記検出された動的再構成信号に対応する新規のＴＤＤ  ＵＬ／ＤＬ構成のアクティベーションを制限することであって、前記アクティベーションが将来の無線フレーム境界においてのみ起こる、前記制限することと、
を含む、方法。
【請求項２】
請求項１に記載の方法であって、
前記動的再構成信号に対して１つ又は複数の指定されるサブフレームを監視することを更に含み、前記指定されたサブフレームが、前記ＴＤＤワイヤレス通信システムのためのすべての利用可能なＵＬ／ＤＬ構成に共通であるＤＬサブフレームに対応する、方法。
【請求項３】
請求項１に記載の方法であって、
サブフレームｎにおいて受け取られる動的再構成信号が、サブフレームｎ＋ｋにおいて新規のＴＤＤ  ＵＬ／ＤＬ構成を適用するための命令を含み、ここでｋが整数である、方法。
【請求項４】
請求項１に記載の方法であって、
変更通知ウィンドウの後にＵＬ／ＤＬ再構成を適用することを更に含む方法。
【請求項５】
請求項４に記載の方法であって、
現在の変更通知ウィンドウの間に前記動的再構成信号を検出することと、
次の変更通知ウィンドウ境界でＵＬ／ＤＬ再構成を適用することと、
を更に含む、方法。
【請求項６】
請求項１に記載の方法であって、
前記基地局からの物理ダウンリンク制御チャネル（ＰＤＣＣＨ）／拡張物理ダウンリンク制御チャネル（ＥＰＤＣＣＨ）で搬送されるダウンリンク制御情報（ＤＣＩ）フォーマットを監視することと、
前記ＤＣＩの１ビットフィールドの設定に基づいて、前記ＤＣＩが物理ダウンリンク共有チャネル（ＰＤＳＣＨ）をスケジュールするか、又はＵＬ／ＤＬ再構成を示すかを判定することと、
を更に含む、方法。
【請求項７】
請求項６に記載の方法であって、
ＵＬ／ＤＬ再構成が示されるときに、前記ＤＣＩフォーマットが、新規のＵＬ／ＤＬ構成と、サウンディング基準信号（ＳＲＳ）伝送への変更と、前記新規のＵＬ／ＤＬ構成に従ったチャネル状態情報（ＣＳＩ）レポーティング構成とを含む、方法。
【請求項８】
請求項１に記載の方法であって、
前記動的再構成信号が、サウンディング基準信号（ＳＲＳ）デルタオフセットフィールドを含み、
前記方法が、前記動的再構成命令でシグナリングされる新規のＴＤＤ  ＵＬ／ＤＬ構成において有効なＵＬサブフレームに前記ＳＲＳがサウンディングされるように、前記デルタオフセットフィールドに基づいてＳＲＳサブフレームオフセットを調節することを更に含む、方法。
【請求項９】
請求項８に記載の方法であって、
全ての利用可能なＵＬ／ＤＬ構成においてＤＬサブフレームとして固定される任意のサブフレームを無視することによって、前記ＳＲＳデルタオフセットフィールド値が選択される、方法。
【請求項１０】
請求項１に記載の方法であって、
サウンディング基準信号（ＳＲＳ）伝送が、前記動的再構成命令によってＤＬサブフレームとして再構成されたサブフレームで送信されるように構成されていることを判定することと、
前記再構成されたＤＬサブフレームにおける前記ＳＲＳの前記伝送を防止することと、
を更に含む、方法。
【請求項１１】
請求項１に記載の方法であって、
後の無線フレームの指定されるサブフレームにおいてサウンディング基準信号（ＳＲＳ）伝送をスケジューリングする要求を含む物理ダウンリンク制御チャネル（ＰＤＣＣＨ）を検出することと、
前記後の無線フレームの前記指定されたサブフレームが、ＵＬ／ＤＬ再構成に起因してもはや有効なセル特定ＳＲＳサブフレームではないことを判定することと、
前記後の無線フレームにおいて前記指定されたサブフレームに続く第１の有効なセル特定ＳＲＳサブフレームで前記ＳＲＳを送信することと、
を更に含む、方法。
【請求項１２】
請求項１に記載の方法であって、
後の無線フレームの指定されるサブフレームにおいてサウンディング基準信号（ＳＲＳ）伝送をスケジューリングする要求を含む物理ダウンリンク制御チャネル（ＰＤＣＣＨ）を検出することと、
前記後の無線フレームの前記指定されたサブフレームが、ＵＬ／ＤＬ再構成に起因してもはや有効なセル特定ＳＲＳサブフレームではないことを判定することと、
前記後の無線フレームにおいて前記指定されたサブフレームに続く第１の有効なＵＥ特定非周期的ＳＲＳサブフレームで前記ＳＲＳを送信することと、
を更に含む、方法。
【請求項１３】
請求項１に記載の方法であって、
前記動的再構成命令がチャネル状態情報（ＣＳＩ）デルタオフセットフィールドを含む、方法。
【請求項１４】
請求項１に記載の方法であって、
現在アクティブで動的にシグナリングされたＵＬ／ＤＬ構成によってダウンリンクとして示されるサブフレームにおいてリソースが生じる場合のみにチャネル状態情報基準リソースが有効であることを判定することを更に含む、方法。
【請求項１５】
請求項１に記載の方法であって、
現在アクティブで動的にシグナリングされたＵＬ／ＤＬ構成によって特別なサブフレームとして示されるサブフレームにおいてリソースが生じる場合と、
特別なサブフレーム構成が、前記特別なサブフレームの前記ダウンリンク部分において少なくとも４個のＯＦＤＭシンボルを含む場合のみに、
チャネル状態情報基準リソースが有効であることを判定すること、
を更に含む、方法。
【請求項１６】
請求項１に記載の方法であって、
チャネル状態情報（ＣＳＩ）伝送が、動的再構成命令によってＤＬサブフレームとして再構成されているサブフレームで送信するように構成されていることを判定することと、
前記再構成されたＤＬサブフレームでの前記ＣＳＩの伝送を防止することと、
を更に含む、方法。
【請求項１７】
請求項１又は２に記載の方法であって、
前記ＵＥが、前記ＴＤＤ  ＵＬ／ＤＬ構成の機能としてサウンディング参照信号（ＳＲＳ）の伝送時間を修正する、方法。
【請求項１８】
請求項３又は４に記載の方法であって、
前記ＴＤＤ  ＵＬ／ＤＬ構成の機能としてサウンディング参照信号（ＳＲＳ）の伝送時間を修正することを更に含む、方法。
【請求項１９】
請求項１又は２に記載の方法であって、
前記ＵＥが、前記ＴＤＤ  ＵＬ／ＤＬ構成の機能として期間を報告するチャネル状態情報（ＣＳＩ）を修正する、方法。
【請求項２０】
請求項３又は４に記載の方法であって、
前記ＴＤＤ  ＵＬ／ＤＬ構成の機能として期間を報告するチャネル状態情報（ＣＳＩ）を修正することを更に含む、方法。
【請求項２１】
ユーザ機器デバイスであって、
プロセッサ回路を含み、
前記プロセッサ回路が、
無線フレーム内の複数のサブフレームのためのセル特定時分割複信（ＴＤＤ）アップリンク（ＵＬ）／ダウンリンク（ＤＬ）構成を受け取り、
ＴＤＤ  ＵＬ／ＤＬ構成のための動的再構成信号を検出し、
ＴＤＤ  ＵＬ／ＤＬ構成のための動的再構成信号の検出に基づいて、前記検出された動的再構成信号に応じて、新規のＴＤＤ  ＵＬ／ＤＬ構成のアクティベーションを制限する、
ように構成され、
前記アクティベーションが将来の無線フレーム境界においてのみ起こる、デバイス。
【請求項２２】
請求項２１に記載のデバイスであって、
前記プロセッサが、サブフレームｎで受け取られる動的再構成信号で受け取られる命令に続いて、サブフレームｎ＋ｋで新規のＴＤＤ  ＵＬ／ＤＬ構成を適用するように構成され、ここでｋが整数である、デバイス。
【請求項２３】
請求項２１に記載のデバイスであって、
前記プロセッサが、変更通知ウィンドウの後にＵＬ／ＤＬ再構成を適用するように構成される、デバイス。
【請求項２４】
請求項２１に記載のデバイスであって、
前記プロセッサが、
基地局からのダウンリンク制御情報において受け取られる動的再構成信号に基づいて、そのＵＬ／ＤＬ構成を適応するように準備し、
前記基地局からの物理ダウンリンク制御チャネル（ＰＤＣＣＨ）／拡張物理ダウンリンク制御チャネル（ＥＰＤＣＣＨ）で搬送されるダウンリンク制御情報（ＤＣＩ）フォーマットを監視し、
前記ＤＣＩにおける１ビットフィールドの設定に基づいて、前記ＤＣＩが、物理ダウンリンク共有チャネル（ＰＤＳＣＨ）をスケジューリングするか又はＵＬ／ＤＬ再構成を示すかを判定する、
ように構成され、
ＵＬ／ＤＬ再構成が示されるときに、前記ＤＣＩフォーマットが、新規のＵＬ／ＤＬ構成と、サウンディング基準信号（ＳＲＳ）伝送への変更と、前記新規のＵＬ／ＤＬ構成に従ったチャネル状態情報（ＣＳＩ）レポーティング構成とを含む、デバイス。
【請求項２５】
請求項２１に記載のデバイスであって、
動的再構成命令が、サウンディング基準信号（ＳＲＳ）デルタオフセットフィールド又はチャネル状態情報（ＣＳＩ）デルタオフセットフィールドを含み、
前記プロセッサが、前記ＳＲＳ又はＣＳＩが、前記動的再構成命令でシグナリングされる新規のＴＤＤ  ＵＬ／ＤＬ構成の有効なＵＬサブフレームでサウンディングされるように、前記デルタオフセットフィールドに基づいてＳＲＳサブフレームオフセットを調節するように更に構成される、デバイス。
【請求項２６】
請求項２１に記載のデバイスであって、
前記プロセッサが、
サウンディング基準信号（ＳＲＳ）又はチャネル状態情報（ＣＳＩ）伝送が、動的再構成命令によってＤＬサブフレームとして再構成されているサブフレームにおいて送信されるように構成されていることを判定し、
前記再構成されたＤＬサブフレームでの前記ＳＲＳ又はＣＳＩの前記伝送を防止する、
ように構成される、デバイス。
【請求項２７】
ユーザ機器（ＵＥ）を動作する方法であって、
動的時分割複信（ＴＤＤ）情報を伝える信号を検出するように前記ＵＥを構成することと、
前記ＵＥにおいて、フレームｍのサブフレーム０にＴＤＤアップリンク／ダウンリンク（ＵＬ／ＤＬ）構成のための動的再構成信号を検出することと、
前記検出された動的再構成信号に応じて新規のＴＤＤ  ＵＬ／ＤＬ構成のアクティベーションを制限することであって、前記アクティベーションが将来の無線フレーム境界においてのみ起こる、前記制限することと、
前記検出された動的再構成信号に応じて、前記フレームｍでＴＤＤ  ＵＬ／ＤＬ構成を用いて通信することと、
を含む、方法。
【請求項２８】
ユーザ機器（ＵＥ）を動作する方法であって、
動的時分割複信（ＴＤＤ）情報を伝える信号を検出するように前記ＵＥを構成することと、
前記ＵＥにおいて、フレームｍＴ／１０のサブフレームにＴＤＤアップリンク／ダウンリンク（ＵＬ／ＤＬ）構成のための動的再構成信号を検出することであって、Ｔが１０以外の値である、前記検出することと、
前記検出された動的再構成信号に応じて新規のＴＤＤ  ＵＬ／ＤＬ構成のアクティベーションを制限することであって、前記アクティベーションが将来の無線フレーム境界においてのみ起こる、前記制限することと、
前記検出された動的再構成信号に応じてフレーム｛ｍＴ／１０＋１，ｍＴ／１０＋２，．．．，（ｍ＋１）Ｔ／１０｝においてＴＤＤ  ＵＬ／ＤＬ構成を用いて通信することと、
を含む、方法。
【請求項２９】
請求項２７又は２８に記載の方法であって、
物理ダウンリンク制御チャネル（ＰＤＣＣＨ）／拡張物理ダウンリンク制御チャネル（ＥＰＤＣＣＨ）で搬送されるダウンリンク制御情報（ＤＣＩ）フォーマットを監視することと、
前記ＤＣＩフォーマットで搬送される情報を使用する前記ＴＤＤ  ＵＬ／ＤＬ構成を決定することと、
を更に含む、装置。
【請求項３０】
ユーザ機器（ＵＥ）装置であって、
動的時分割複信（ＴＤＤ）情報を伝える信号を検出するように前記ＵＥを構成する回路要素と、
前記ＵＥにおいて、フレームｍのサブフレーム０にＴＤＤアップリンク／ダウンリンク（ＵＬ／ＤＬ）構成のための動的再構成信号を検出する回路要素と、
前記検出された動的再構成信号に応じて新規のＴＤＤ  ＵＬ／ＤＬ構成のアクティベーションを制限する回路要素であって、前記アクティベーションが将来の無線フレーム境界においてのみ起こる、前記回路要素と、
前記検出された動的再構成信号に応じて、前記フレームｍでＴＤＤ  ＵＬ／ＤＬ構成を用いて通信する回路要素と、
を含む、装置。
【請求項３１】
ユーザ機器（ＵＥ）装置であって、
動的時分割複信（ＴＤＤ）情報を伝える信号を検出するように前記ＵＥを構成する回路要素と、
前記ＵＥにおいて、フレームｍＴ／１０のサブフレームにＴＤＤアップリンク／ダウンリンク（ＵＬ／ＤＬ）構成のための動的再構成信号を検出し、Ｔが１０以外の値である、回路要素と、
前記検出された動的再構成信号に応じて新規のＴＤＤ  ＵＬ／ＤＬ構成のアクティベーションを制限する回路要素であって、前記アクティベーションが将来の無線フレーム境界においてのみ起こる、前記回路要素と、
前記検出された動的再構成信号に応じてフレーム｛ｍＴ／１０＋１，ｍＴ／１０＋２，．．．，（ｍ＋１）Ｔ／１０｝においてＴＤＤ  ＵＬ／ＤＬ構成を用いて通信する回路要素と、
を含む、装置。
【請求項３２】
請求項３０又は３１に記載の装置であって、
物理ダウンリンク制御チャネル（ＰＤＣＣＨ）／拡張物理ダウンリンク制御チャネル（ＥＰＤＣＣＨ）で搬送されるダウンリンク制御情報（ＤＣＩ）フォーマットを監視する回路要素と、
前記ＤＣＩフォーマットで搬送される情報を使用する前記ＴＤＤ  ＵＬ／ＤＬ構成を決定する回路要素と、
を更に含む、装置。